(57)【要約】【課題】外壁の通り出しを向上させると共に外壁部の目地における止水性の低下を抑制することができる建物の外壁支持構造を得る。【解決手段】支持構造３０は、外壁部３２と、パラペットフレーム３４と、押付部材３６とを有する。外壁部３２は、止水材４１を挟んで建物１０の高さ方向に並ぶ下側外壁４２及び上側外壁４３を有する。パラペットフレーム３４は、建物１０の内外方向において上側外壁４３を屋内側から支持する。押付部材３６は、パラペットフレーム３４に取付けられ、上側外壁４３を下側外壁４２に向けて押付ける。【選択図】図１
2018197431.tif 000002
【特許請求の範囲】
【請求項１】
止水材を挟んで建物の高さ方向に並んで配置された下側外壁及び上側外壁を有する外壁部と、
前記建物の内外方向において前記上側外壁を屋内側から支持する支持部材と、
前記支持部材に取付けられ、前記上側外壁を前記下側外壁に向けて押付ける押付部材と、
を有する建物の外壁支持構造。
【請求項２】
前記押付部材の前記支持部材に取付けられる部位には、前記押付部材による前記上側外壁への押付力を調整可能とする調整手段が設けられている請求項１に記載の建物の外壁支持構造。
【請求項３】
前記押付部材は、前記内外方向において前記上側外壁に屋内側から接触する接触部を有する請求項１又は請求項２に記載の建物の外壁支持構造。
【請求項４】
前記支持部材は、前記建物の躯体に取付けられる底壁と、該底壁の前記外壁部側の端部に前記高さ方向に沿って立設され厚さ方向に貫通する貫通孔が形成された縦壁と、該縦壁の上端部から前記外壁部側とは反対側に延出され前記押付部材が取付けられる上壁とを有し、
前記貫通孔に挿入され前記上側外壁を前記支持部材に締結する締結部材が設けられた請求項１から請求項３のいずれか１項に記載の建物の外壁支持構造。
【請求項５】
前記支持部材には、防水材が取付けられる被取付部が設けられている請求項１から請求項４のいずれか１項に記載の建物の外壁支持構造。
【発明の詳細な説明】
【技術分野】
【０００１】
本発明は、建物の外壁支持構造に関する。
【背景技術】
【０００２】
特許文献１のパラペットの防水下地構造では、梁の長さ方向に防水下地部材を連続して設置すると共に、隣接する防水下地部材の自由端片を把持部材によって把持して連結している。防水下地材と外壁パネルとの間には、間隙が形成されている。
【先行技術文献】
【特許文献】
【０００３】
【特許文献１】特開２００９−７９４００号
【発明の概要】
【発明が解決しようとする課題】
【０００４】
止水材を挟んで建物の高さ方向に並ぶ下側外壁及び上側外壁を備えた外壁部を有する建物がある。この建物では、上側外壁の上方に配置される部材と上側外壁との間に隙間が形成されている場合に、上側外壁が傾くなどして上側外壁の通り出しを行い難くなる可能性がある。さらに、上側外壁が傾くことで、一部の止水材の圧縮が不十分となり、外壁部の目地における止水性が低下する可能性がある。つまり、外壁部の通り出しを向上させると共に外壁部の目地における止水性の低下を抑制するには、改善の余地がある。
【０００５】
本発明は、外壁の通り出しを向上させると共に外壁部の目地における止水性の低下を抑制することができる建物の外壁支持構造を得ることが目的である。
【課題を解決するための手段】
【０００６】
第１態様に係る建物の外壁支持構造は、止水材を挟んで建物の高さ方向に並んで配置された下側外壁及び上側外壁を有する外壁部と、前記建物の内外方向において前記上側外壁を屋内側から支持する支持部材と、前記支持部材に取付けられ、前記上側外壁を前記下側外壁に向けて押付ける押付部材と、を有する。
【０００７】
第１態様に係る建物の外壁支持構造では、支持部材が上側外壁を屋内側から支持することで、建物の高さ方向に対する屋内側への上側外壁の傾きが抑制される。さらに、支持部材に取付けられた押付部材が上側外壁を下側外壁に向けて押付けることで、水平方向に対する上側外壁の傾きが抑制されると共に、予め設定した押付力が止水材に作用して、止水材が圧縮される。これにより、外壁の通り出しを向上させると共に外壁部の目地における止水性の低下を抑制することができる。
【０００８】
第２態様に係る建物の外壁支持構造の前記押付部材の前記支持部材に取付けられる部位には、前記押付部材による前記上側外壁への押付力を調整可能とする調整手段が設けられている。
【０００９】
第２態様に係る建物の外壁支持構造では、押付部材による上側外壁への押付力が、調整手段によって調整可能となっている。これにより、押付部材から上側外壁に作用する押付力を調整できるので、押付力を調整しない構成に比べて、止水材が上側外壁により過剰に圧縮されることを抑制することができる。
【００１０】
第３態様に係る建物の外壁支持構造の前記押付部材は、前記内外方向において前記上側外壁に屋内側から接触する接触部を有する。
【００１１】
第３態様に係る建物の外壁支持構造では、押付部材の接触部が上側外壁と接触することで、上側外壁が支持部材だけでなく押付部材によっても屋内側から支持されるので、上側外壁の通り出しをさらに向上させることができる。
【００１２】
第４態様に係る建物の外壁支持構造の前記支持部材は、前記建物の躯体に取付けられる底壁と、該底壁の前記外壁部側の端部に前記高さ方向に沿って立設され厚さ方向に貫通する貫通孔が形成された縦壁と、該縦壁の上端部から前記外壁部側とは反対側に延出され前記押付部材が取付けられる上壁とを有し、前記貫通孔に挿入され前記上側外壁を前記支持部材に締結する締結部材が設けられている。
【００１３】
第４態様に係る建物の外壁支持構造では、貫通孔に締結部材が挿入され、上側外壁と支持部材とが締結部材により仮留めされる。そして、押付部材が上側外壁を下側外壁に向けて押付けた状態となってから、上側外壁と支持部材とが締結部材により本締めされる。これにより、支持部材への上側外壁の取付け位置がずれるのを抑制することができる。
【００１４】
第５態様に係る建物の外壁支持構造の前記支持部材には、防水材が取付けられる被取付部が設けられている。
【００１５】
第５態様に係る建物の外壁支持構造では、支持部材に、防水材を取付けるための被取付部が設けられる。これにより、支持部材を取付けた場所とは異なる場所に別部材を設けて防水材を取付ける構成に比べて、防水材の設置スペースを広げることができる。
【発明の効果】
【００１６】
以上説明したように、本発明に係る建物の外壁支持構造では、外壁の通り出しを向上させると共に外壁部の目地における止水性の低下を抑制することができる。
【図面の簡単な説明】
【００１７】
【図１】第１実施形態に係る支持構造を有する建物の説明図である。
【図２】第１実施形態に係る支持構造の斜視図である。
【図３】（Ａ）第１実施形態に係るパラペットフレームの正面図であり、（Ｂ）第１実施形態に係るパラペットフレームの側面図である。
【図４】（Ａ）第１実施形態に係るパラペットフレームの平面図であり、（Ｂ）第１実施形態に係るパラペットフレームの底面図である。
【図５】（Ａ）第１実施形態に係る上側外壁に押付部材を載せた状態を示す説明図であり、（Ｂ）第１実施形態に係るパラペットフレームに押付部材を締結して上側外壁に押付力を作用させている状態を示す説明図である。
【図６】第２実施形態に係る支持構造を有する建物の説明図である。
【図７】第２実施形態に係る支持構造の斜視図である。
【図８】（Ａ）第２実施形態に係るパラペットフレームの正面図であり、（Ｂ）第２実施形態に係るパラペットフレームの側面図である。
【図９】（Ａ）第２実施形態に係るパラペットフレームの平面図であり、（Ｂ）第２実施形態に係るパラペットフレームの底面図である。
【図１０】（Ａ）第２実施形態に係る上側外壁に押付部材を載せた状態を示す説明図であり、（Ｂ）第２実施形態に係るパラペットフレームに押付部材を締結して上側外壁に押付力を作用させている状態を示す説明図である。
【発明を実施するための形態】
【００１８】
[第１実施形態]
第１実施形態に係る建物の外壁支持構造の一例について説明する。
【００１９】
〔全体構成〕
図１には、建物１０に適用された建物の外壁支持構造の一例としての支持構造３０が示されている。支持構造３０の詳細については後述する。以後の説明では、建物１０の桁方向をＺ方向、妻方向をＸ方向、高さ方向（上下方向）をＹ方向と称する。Ｘ方向、Ｙ方向及びＺ方向は、互いに直交する。また、Ｘ方向及びＺ方向は、水平方向の一例とされている。なお、以後は、Ｘ方向を建物１０の内外方向の一例として説明する。
【００２０】
建物１０は、陸屋根１２と、陸屋根１２の外縁部に立設されたパラペット１４と、パラペット１４の主要部を構成する支持構造３０とを有する。また、建物１０は、天井大梁１６と、天井スラブ１８と、断熱材２２と、防水シート２４、２５と、防水鋼板２６と、笠木ホルダ２７と、笠木２８とを有する。
【００２１】
天井大梁１６は、建物１０の躯体の一例である。また、天井大梁１６は、一例として、Ｈ型鋼で構成されている。天井大梁１６は、Ｚ方向から見た場合にＹ方向に延びるウェブ１６Ａと、ウェブ１６ＡのＹ方向の上端部からＸ方向の両外側に張出された上フランジ１６Ｂと、ウェブ１６ＡのＹ方向の下端部からＸ方向の両外側に張出された図示しない下フランジとを有する。上フランジ１６Ｂには、Ｙ方向に貫通した図示しない貫通孔が形成されている。ウェブ１６Ａに対するＸ方向の屋外側の上フランジ１６Ｂの下面には、図示しない貫通孔と連通するウェルドナット１６Ｃが形成されている。ウェルドナット１６Ｃには、ボルト１７が締結される。
【００２２】
ウェブ１６Ａに対してウェルドナット１６Ｃ側とは反対側の上フランジ１６Ｂ上には、天井スラブ１８の一端部が載置されている。なお、天井スラブ１８をＺ方向から見た場合において、天井スラブ１８のＹ方向の下面１８ＡをＸ方向に延長した仮想線Ｋは、ルーフスラブライン（ＲＳＬ）を意味する。
【００２３】
断熱材２２は、天井スラブ１８上に敷設されている。また、断熱材２２は、防水シート２４によって覆われている。防水シート２４は、パラペット１４の基部（Ｙ方向の下端部）付近までＸ方向に延びており、防水鋼板２６の後述する底部２６Ａに上側から重ねられている。
【００２４】
防水鋼板２６は、防水材の一例である。また、防水鋼板２６は、一例として、２箇所で屈曲された形状とされている。具体的には、防水鋼板２６は、Ｚ方向から見た場合に、断熱材２２上に載る底部２６Ａと、底部２６ＡのＸ方向の一端部からＹ方向に直立する縦壁部２６Ｂと、縦壁部２６ＢのＹ方向の上端部から屋外側に延びる上部２６Ｃとを有する。そして、防水鋼板２６は、パラペット１４における陸屋根１２側（屋内側）で、縦壁部２６Ｂが後述するブラケット５６及びブラケット５８に取付けられることにより、後述するパラペットフレーム３４を陸屋根１２側から覆っている。
【００２５】
防水シート２５は、Ｚ方向から見た場合に、防水鋼板２６における縦壁部２６ＢのＹ方向の上端部から、後述する押付部材３６を上側から覆って、後述する上側外壁４３の屋外側まで延びている。
【００２６】
笠木ホルダ２７は、Ｚ方向から見た場合に、Ｘ方向に沿った平板状に形成され防水シート２５上に載置される板部２７Ａと、板部２７ＡのＸ方向の両端部からＹ方向の上側及び下側に張出された被取付部２７Ｂとを有する。板部２７Ａは、後述するビス５４を用いて、防水シート２５、後述する押付部材３６、スペーサ３８及び上側外壁４３に共締めにより固定されている。笠木２８は、Ｚ方向から見た場合の断面形状が、Ｙ方向の下側に向けて開口する逆Ｕ字状に形成されている。また、笠木２８は、２つの被取付部２７ＢをＸ方向に挟むことで、被取付部２７Ｂに取付けられている。
【００２７】
〔要部構成〕
次に、支持構造３０について説明する。
【００２８】
支持構造３０は、外壁部３２と、支持部材の一例としてのパラペットフレーム３４と、押付部材３６とを有する。また、支持構造３０には、一例として、止水材４１と、スペーサ３８と、ビス５４と、調整手段の一例としての調整部４４と、締結部材の一例としてのボルト４６と、被取付部の一例としてのブラケット５６、５８とが設けられている。
【００２９】
＜外壁部＞
外壁部３２は、後述する止水材４１を挟んでＹ方向に並んで配置された下側外壁４２及び上側外壁４３を有する。
【００３０】
（下側外壁）
下側外壁４２は、一例として、軽量気泡コンクリート（ＡＬＣ）で構成されている。また、下側外壁４２は、Ｚ方向から見た場合の断面形状がＹ方向に長い略矩形状とされ、Ｚ方向に延びる板状に形成されている。さらに、下側外壁４２は、Ｚ方向に複数枚並んで配置されている。そして、下側外壁４２は、屋内側の部位が図示しない下地フレームを介して建物１０の躯体に取付けられることにより、Ｙ方向に沿って立設されている。
【００３１】
下側外壁４２のＹ方向上端となる上面４２Ａは、Ｘ−Ｚ面（略水平面）に沿って広がっている。また、上面４２Ａは、Ｚ方向から見た場合に、一例として、既述の仮想線Ｋ上に位置している。なお、下側外壁４２は、天井大梁１６とＸ方向に並んでおり、天井大梁１６に対する屋外側に配置されている。
【００３２】
（上側外壁）
上側外壁４３は、下側外壁４２と同様に軽量気泡コンクリート（ＡＬＣ）で構成されている。また、上側外壁４３は、Ｚ方向から見た場合の断面形状がＹ方向に長い略矩形状とされ、Ｚ方向に延びる板状に形成されている。上側外壁４３のＸ方向の幅は、下側外壁４２のＸ方向の幅とほぼ同じ大きさに揃えられている。上側外壁４３のＺ方向の長さは、下側外壁４２のＺ方向の長さとほぼ同じ長さとされている。上側外壁４３のＹ方向の高さは、一例として、下側外壁４２のＹ方向の高さよりも低い。
【００３３】
上側外壁４３のＹ方向の上端部には、Ｘ方向に間隔をあけると共にＹ方向に延びる２箇所のネジ穴４５が形成されている。ネジ穴４５には、後述するビス５４が螺合（締結）される。また、上側外壁４３の屋内側の部位でかつＹ方向の中央部には、Ｘ方向に沿ったネジ穴４７が形成されている。ネジ穴４７には、後述するボルト４６が螺合（締結）される。
【００３４】
さらに、上側外壁４３は、Ｚ方向に下側外壁４２と同じ数で複数枚並んで配置されている。それぞれの上側外壁４３は、後述するパラペットフレーム３４にボルト４６を用いて締結されることで、Ｙ方向に沿った状態で屋内側から支持されている。上側外壁４３のＹ方向下端となる下面４３Ａは、Ｘ−Ｚ面（略水平面）に沿って広がっている。また、下面４３Ａは、上面４２ＡとＹ方向に間隔をあけて対向配置されている。言い換えると、下側外壁４２と上側外壁４３との間には、目地の一例としての横目地４９が形成されている。横目地４９には、後述する止水材４１及びシール材５２が配置される。
【００３５】
＜止水材＞
止水材４１は、一例として、ポリウレタン製の発泡体で構成されている。また、止水材４１は、一例として、Ｚ方向に延びる四角柱状に形成されており、Ｚ方向から見た場合の断面形状が、Ｘ方向を長手方向とする矩形状とされている。さらに、止水材４１は、一例として、上面４２ＡのＸ方向の中央に対する屋外側の部位と、下面４３ＡのＸ方向の中央に対する屋外側の部位とで挟まれており、Ｙ方向に圧縮されている。本実施形態では、止水材４１は、一例として、横目地４９におけるＸ方向の中央よりも屋内側の部位（空間）には配置されていない。加えて、横目地４９における止水材４１に対する屋外側の部位（空間）には、シール材５２が充填されている。
【００３６】
なお、本実施形態では、建物１０の躯体に水が染み込むことを防ぐ部材を防水材と称し、２つの部材の隙間（目地）に水が浸入することを防ぐ部材を止水材と称して区別している。また、本実施形態では、２つの部材の隙間に屋外側から充填されるものをシール材（コーキング材）と称して、止水材と区別している。
【００３７】
＜パラペットフレーム＞
図２に示すように、パラペットフレーム３４は、一例として、それぞれ同程度の厚さの板状に形成された底壁３４Ａ、縦壁３４Ｂ、上壁３４Ｃ及び２つの側壁３４Ｄにより構成されている。また、パラペットフレーム３４の全体は、屋内側に向けて開口する箱状に形成されている。さらに、パラペットフレーム３４は、ウェブ１６Ａに対してウェルドナット１６Ｃ（図１参照）側の上フランジ１６Ｂ上に載置されている。そして、パラペットフレーム３４は、ボルト１７（図１参照）がウェルドナット１６Ｃに締結されることより、上フランジ１６Ｂ（天井大梁１６）に取付けられている。さらに、パラペットフレーム３４は、上側外壁４３をＸ方向の屋内側から支持する。なお、図２では、後述する調整部４４（図１参照）及びボルト、ビス等の図示を省略している。
【００３８】
（底壁）
図４（Ｂ）に示す底壁３４Ａは、Ｘ方向及びＺ方向に広がっている。底壁３４ＡをＹ方向から見た場合の形状は、Ｚ方向を長手方向としＸ方向を短手方向とする略矩形状とされている。底壁３４ＡのＺ方向の長さは、上側外壁４３（図１参照）のＺ方向の長さよりも短い。また、底壁３４ＡのＹ方向の厚さは、上フランジ１６Ｂ（図１参照）のＹ方向の厚さよりも薄い。底壁３４ＡにおけるＸ方向の中央に対する一方側（屋内側）には、Ｚ方向に間隔をあけて配置されＹ方向に貫通した２つの貫通孔３５が形成されている。貫通孔３５の大きさは、ボルト１７（図１参照）を挿通可能な大きさとされている。そして、底壁３４Ａは、上フランジ１６Ｂ（図１参照）にボルト１７により取付けられる。
【００３９】
（縦壁）
図１に示す縦壁３４Ｂは、底壁３４ＡのＸ方向の屋外側の端部にＹ方向に沿って立設されている。縦壁３４ＢのＹ方向の高さは、上側外壁４３のＹ方向の下端から中央までの高さよりも高くかつ上側外壁４３のＹ方向の下端から上端までの高さよりも低くなるように設定されている。また、図３（Ａ）に示すように、縦壁３４Ｂは、Ｙ方向及びＺ方向に広がっている。縦壁３４ＢをＸ方向から見た場合の形状は、Ｙ方向を長手方向としＺ方向を短手方向とする略矩形状とされている。縦壁３４ＢのＺ方向の長さは、底壁３４ＡのＺ方向の長さ、上壁３４ＣのＺ方向の長さとそれぞれ等しく、上側外壁４３（図１参照）のＺ方向の長さよりも短い。縦壁３４ＢにおけるＹ方向及びＺ方向の中央には、Ｘ方向（厚さ方向）に貫通した１つの貫通孔４８が形成されている。貫通孔４８のＺ方向、Ｙ方向の大きさは、ボルト４６（図１参照）の雄ネジが形成された軸部の直径よりも大きい。なお、ボルト４６の頭部は、貫通孔４８には挿通されない。
【００４０】
（上壁）
図１に示す上壁３４Ｃは、縦壁３４ＢのＹ方向の上端部から外壁部３２側とは反対側にＸ方向に沿って延出され、底壁３４ＡとＹ方向に対向配置されている。また、上壁３４Ｃには、後述する調整部４４により押付部材３６が取付けられている。
【００４１】
図４（Ａ）に示すように、上壁３４Ｃは、Ｘ方向及びＺ方向に広がっている。上壁３４ＣをＹ方向から見た場合の形状は、Ｚ方向を長手方向としＸ方向を短手方向とする略矩形状とされている。上壁３４ＣのＺ方向の長さは、既述のように、底壁３４ＡのＺ方向の長さと等しく、上側外壁４３（図１参照）のＺ方向の長さよりも短い。また、上壁３４ＣのＸ方向の長さは、底壁３４ＡのＸ方向の長さよりも短い。さらに、上壁３４ＣのＹ方向の厚さは、上フランジ１６Ｂ（図１参照）のＹ方向の厚さよりも薄く、底壁３４ＡのＹ方向の厚さとほぼ同じとされている。
【００４２】
上壁３４ＣにおけるＺ方向の中央でかつＸ方向の中央に対する一方側（屋外側）には、Ｙ方向に貫通した１つの貫通孔６２が形成されている。貫通孔６２の大きさは、後述する調整部４４のボルト７４（図１参照）の雄ネジが形成された軸部を挿通可能な大きさとされている。また、上壁３４ＣのＹ方向の下面における貫通孔６２の周縁部には、調整部４４のウェルドナット７６（図１参照）が設けられている。ウェルドナット７６には、ボルト７４が締結される。
【００４３】
（側壁）
図３（Ａ）に示すように、側壁３４Ｄは、縦壁３４ＢにおけるＺ方向の両端部に配置されている。また、図３（Ｂ）に示すように、側壁３４Ｄは、縦壁３４ＢからＸ方向の屋内側に延び底壁３４Ａと上壁３４ＣとをＹ方向に繋いでいる。言い換えると、側壁３４Ｄは、底壁３４Ａから上壁３４Ｃまで、Ｙ方向に沿って直立しており、Ｘ方向及びＹ方向に広がっている。側壁３４ＤをＺ方向から見た場合の形状は、Ｙ方向を長手方向としＸ方向を短手方向とする略矩形状とされている。側壁３４ＤのＸ方向の長さは、上壁３４ＣのＸ方向の長さと等しい。
【００４４】
＜押付部材＞
図２に示す押付部材３６は、一例として、Ｚ方向から見た場合の断面形状がクランク状となるように２箇所で屈曲された板材で構成されており、Ｚ方向に延在されている。押付部材３６のＺ方向の長さは、１つの上側外壁４３のＺ方向の長さよりも長い。具体的には、押付部材３６は、第１横板部３６Ａと、接触部の一例としての縦板部３６Ｂと、第２横板部３６Ｃとを有する。
【００４５】
（第１横板部）
第１横板部３６Ａは、Ｘ方向及びＺ方向に広がっている。第１横板部３６ＡをＹ方向から見た場合の形状は、Ｚ方向を長手方向としＸ方向を短手方向とする略矩形状とされている。第１横板部３６ＡのＸ方向の長さは、上壁３４ＣのＸ方向の長さとほぼ等しい。また、第１横板部３６ＡのＺ方向の一部は、上壁３４Ｃ上に載置される。第１横板部３６Ａにおいて、上壁３４Ｃの貫通孔６２（図４（Ａ）参照）とＹ方向に並ぶ部位には、Ｙ方向に貫通した貫通孔６４が１箇所形成されている。貫通孔６４の大きさは、後述する調整部４４のボルト７４（図１参照）の雄ネジが形成された軸部を挿通可能な大きさとされている。そして、第１横板部３６Ａは、上壁３４Ｃにボルト７４により取付けられる。
【００４６】
（縦板部）
縦板部３６Ｂは、第１横板部３６ＡのＸ方向の屋外側（外壁部３２側）の端部からＹ方向に沿って直立している。縦板部３６ＢをＸ方向から見た場合の形状は、Ｚ方向を長手方向としＹ方向を短手方向とする略矩形状とされている。縦板部３６ＢのＹ方向の高さは、上壁３４Ｃ上に第１横板部３６Ａが載置された状態で、Ｘ方向から見た場合に縦板部３６Ｂと上側外壁４３のＹ方向の上部とが重なるように、後述するスペーサ３８のＹ方向の高さも含めて設定されている。これにより、縦板部３６Ｂは、パラペットフレーム３４に押付部材３６が取付けられた状態で、Ｘ方向において上側外壁４３に屋内側から接触して、上側外壁４３の上部を支持するようになっている。
【００４７】
（第２横板部）
第２横板部３６Ｃは、Ｘ方向及びＺ方向に広がっている。第２横板部３６ＣをＹ方向から見た場合の形状は、Ｚ方向を長手方向としＸ方向を短手方向とする略矩形状とされている。第２横板部３６ＣのＸ方向の長さは、上側外壁４３の上面４３ＢのＸ方向の長さとほぼ等しい。また、第２横板部３６Ｃは、後述するスペーサ３８上に載置される。第２横板部３６Ｃには、Ｙ方向に貫通した貫通孔６６がＸ方向に間隔をあけて２箇所形成されている。２箇所の貫通孔６６は、一例として、Ｙ方向から見た場合に貫通孔６４とＸ方向に並んでいる。貫通孔６６の大きさは、後述するビス５４（図１参照）の雄ネジが形成された軸部を挿通可能な大きさとされている。そして、第２横板部３６Ｃは、スペーサ３８を介して上側外壁４３にビス５４により取付けられる。
【００４８】
ここで、図１に示すように、押付部材３６では、第１横板部３６Ａが上壁３４Ｃにボルト７４により取付けられることにより、第２横板部３６Ｃが上側外壁４３を下側外壁４２に向けて（Ｙ方向の下側に向けて）押付けるようになっている。
【００４９】
＜スペーサ＞
スペーサ３８は、Ｚ方向を長手方向としＸ方向を短手方向とする板材で構成されている。スペーサ３８のＺ方向の長さは、一例として、押付部材３６のＺ方向の長さとほぼ等しい。また、スペーサ３８のＸ方向の長さは、上側外壁４３の上面４３ＢのＸ方向の長さよりも短い。そして、スペーサ３８は、上面４３Ｂに載置されている。
【００５０】
上側外壁４３と第２横板部３６Ｃとの間でかつスペーサ３８に対する屋外側には、シール材５２が充填される空間部であるシールポケット６８が形成されている。ここで、スペーサ３８のＹ方向の厚さは、シールポケット６８として必要な大きさに合わせて設定されている。また、スペーサ３８には、Ｙ方向に貫通した貫通孔７２がＸ方向に間隔をあけて２箇所形成されている。２箇所の貫通孔７２は、押付部材３６の２箇所の貫通孔６６（図２参照）とＹ方向に連通される。そして、貫通孔７２には、ビス５４が螺合される。
【００５１】
＜ビス＞
ビス５４の長さは、一例として、笠木ホルダ２７の板部２７Ａの厚さと、防水シート２５の厚さと、第２横板部３６Ｃの厚さと、スペーサ３８の厚さとを合計した長さよりも長い。これにより、上側外壁４３上にスペーサ３８、第２横板部３６Ｃ、防水シート２５及び板部２７Ａが重ねられた状態でビス５４により共締めされることで、これらが上側外壁４３に取付けられて（固定されて）いる。
【００５２】
＜調整部＞
調整部４４は、押付部材３６のパラペットフレーム３４に取付けられる部位（第１横板部３６Ａ）に設けられている。また、調整部４４は、一例として、ボルト７４と、ウェルドナット７６と、図示しないワッシャとを有する。ボルト７４は、頭部７４Ａと、雄ネジが形成された軸部７４Ｂとを有している。ここで、軸部７４Ｂが貫通孔６２（図４（Ａ）参照）及び貫通孔６４（図２参照）に挿入され、雄ネジがウェルドナット７６の雌ネジと螺合されることにより、第１横板部３６Ａが上壁３４Ｃに取付けられる。
【００５３】
ボルト７４とウェルドナット７６との螺合量が減少するほど、上壁３４Ｃと第１横板部３６ＡとのＹ方向の間隔が拡がる。また、ボルト７４とウェルドナット７６との螺合量が増加するほど、上壁３４Ｃと第１横板部３６ＡとのＹ方向の間隔が狭くなる。言い換えると、ボルト７４とウェルドナット７６との螺合量が減少するほど、押付部材３６からスペーサ３８を介して上側外壁４３に作用する押付力が減少する。また、ボルト７４とウェルドナット７６との螺合量が増加するほど、押付部材３６からスペーサ３８を介して上側外壁４３に作用する押付力が増加する。このように、調整部４４では、ボルト７４とウェルドナット７６との螺合量を減少又は増加させることで、押付部材３６から上側外壁４３に作用する押付力が調整可能とされている。
【００５４】
＜ボルト＞
ボルト４６は、頭部４６Ａと、雄ネジが形成された軸部４６Ｂとを有している。ここで、軸部４６Ｂが縦壁３４Ｂの貫通孔４８に挿入されると共に、雄ネジがネジ穴４７の雌ネジと螺合されることにより、上側外壁４３がパラペットフレーム３４に締結されている。言い換えると、パラペットフレーム３４が上側外壁４３をＸ方向の屋内側から支持している。なお、軸部４６Ｂの直径の大きさは、貫通孔４８の孔壁に対してＹ方向及びＺ方向に間隔があくように設定されている。このため、ネジ穴４７に対するボルト４６の螺合量が少ない状態（仮留め状態）では、上側外壁４３が、パラペットフレーム３４に対してＹ方向及びＺ方向に移動可能となっている。
【００５５】
＜ブラケット＞
図４（Ａ）に示すブラケット５６は、一例として、Ｙ方向から見た場合の断面形状がＬ字状のアングル材で構成されている。具体的には、ブラケット５６は、Ｙ方向から見た場合に、Ｚ方向に沿って延びる縦壁５６Ａと、縦壁５６ＡのＺ方向の一端部からＸ方向に沿って延びる縦壁５６Ｂとを有する。縦壁５６Ｂは、一方の側壁３４Ｄの内側面におけるＹ方向の上部に接着により設けられて（固定されて）いる。縦壁５６Ａは、縦壁５６Ｂが固定されることにより、上壁３４ＣのＸ方向の屋内側の端面とＹ方向に面を揃えて配置されている。
【００５６】
図４（Ｂ）に示すブラケット５８は、一例として、Ｙ方向から見た場合の断面形状がＬ字状のアングル材で構成されている。具体的には、ブラケット５８は、Ｙ方向から見た場合に、Ｚ方向に沿って延びる縦壁５８Ａと、縦壁５８ＡのＺ方向の一端部からＸ方向に延びる縦壁５８Ｂとを有する。縦壁５８Ｂは、一方の側壁３４Ｄの内側面におけるＹ方向の中央部に接着により設けられて（固定されて）いる。縦壁５８Ａは、縦壁５８Ｂが固定されることにより、上壁３４ＣのＸ方向の屋内側の端面とＹ方向に面を揃えて配置されている。
【００５７】
図１に示すように、縦壁５６Ａ及び縦壁５８Ａには、一例として、防水鋼板２６が屋内側から接着により取付けられている。
【００５８】
〔作用〕
次に、第１実施形態の支持構造３０の作用について説明する。
【００５９】
図５（Ａ）、（Ｂ）には、支持構造３０の各部材が模式的に示されている。図５（Ａ）では、調整部４４（図１参照）による押付力の調整前の状態が示されており、図５（Ｂ）では、調整部４４による押付力の調整後の状態が示されている。なお、天井スラブ１８及び断熱材２２（図１参照）は、天井大梁１６上に既に取付けられているが、図５（Ａ）、（Ｂ）では図示を省略している。
【００６０】
図５（Ａ）に示すように、天井大梁１６には、パラペットフレーム３４が取付けられている。また、下側外壁４２の上側には、止水材４１を挟んで上側外壁４３が配置されている。上側外壁４３には、縦壁３４Ｂを介してボルト４６が仮留めされている。言い換えると、上側外壁４３は、パラペットフレーム３４によって屋内側から支持された状態で、Ｚ方向及びＹ方向に移動可能（位置を微調整可能）とされている。
【００６１】
上側外壁４３の上面４３Ｂには、スペーサ３８が接着されている。スペーサ３８の上面には、第２横板部３６Ｃの下面が接着されている。なお、調整前状態において、ビス５４（図１参照）は押付部材３６、スペーサ３８及び上側外壁４３には締結されていない。さらに、押付部材３６上には、笠木ホルダ２７（図１参照）は載置されていない。また、調整前状態において、第１横板部３６Ａと上壁３４Ｃとの間には、Ｙ方向に隙間ｄ１が形成されている。下側外壁４２と上側外壁４３との間（横目地４９）には、Ｙ方向に隙間ｄ２（＞ｄ１）が形成されている。
【００６２】
続いて、図５（Ｂ）に示すように、ウェルドナット７６にボルト７４を螺合させることで、調整部４４が形成される。そして、調整部４４において、ウェルドナット７６に対するボルト７４の螺合量が増加される。調整部４４では、一例として、第１横板部３６Ａと上壁３４Ｃとが密着するまで、ウェルドナット７６に対するボルト７４の螺合量が増加されている。
【００６３】
ここで、第１横板部３６Ａと上壁３４Ｃとが近接することで、押付部材３６からスペーサ３８を介して上側外壁４３に押付力Ｆが作用する。この押付力Ｆにより、上側外壁４３がＹ方向の下側に変位すると共に、止水材４１がＹ方向に圧縮される。このため、この押付け状態において、下側外壁４２と上側外壁４３との間の隙間ｄ３は、隙間ｄ２（図５（Ａ）参照）よりも小さくなる。止水材４１に作用する押付力（圧縮力）は、押付け前の状態に比べて増加する。また、上側外壁４３は、パラペットフレーム３４によりＸ方向の屋内側から支持されている。さらに、上側外壁４３のＹ方向の上部に縦板部３６Ｂが接触することで、上側外壁４３のＹ方向の上部は、Ｘ方向の屋内側から支持されている。このようにして、上側外壁４３のＸ方向、Ｙ方向及びＺ方向に対する傾きが調整される。そして、ボルト４６が本締めされることにより、上側外壁４３の位置が決まる。
【００６４】
続いて、図１に示すように、防水シート２４、２５が取付けられた状態で、ブラケット５６、５８に防水鋼板２６が取付けられる。そして、防水シート２５上に笠木ホルダ２７が載置され、ビス５４により笠木ホルダ２７、防水シート２５、押付部材３６、スペーサ３８及び上側外壁４３が共締めされる。笠木ホルダ２７には、笠木２８が取付けられる。なお、横目地４９及びシールポケット６８には、シール材５２が充填される。
【００６５】
以上、説明したように、支持構造３０では、上側外壁４３がパラペットフレーム３４によって屋内側から支持されることで、Ｙ方向に対する屋内側への上側外壁４３の傾きが抑制される。さらに、パラペットフレーム３４に取付けられた押付部材３６によって、上側外壁４３が下側外壁４２に向けて押付けられる。これにより、Ｘ方向及びＺ方向に対する上側外壁４３の傾きが抑制されると共に、予め設定した押付力Ｆ（図５（Ｂ）参照）が止水材４１に作用して、止水材４１が圧縮される。このように、支持構造３０では、Ｘ方向、Ｙ方向、Ｚ方向に対する上側外壁４３の傾きが抑制されるので、外壁部３２の通り出しを向上させることができる。さらに、支持構造３０では、止水材４１が圧縮されるので、押付部材３６により上側外壁４３を押付けない構成に比べて、外壁部３２の横目地４９における止水性の低下を抑制することができる。
【００６６】
また、支持構造３０では、押付部材３６による上側外壁４３への押付力が、調整部４４によって調整可能となっている。具体的には、調整部４４において、ボルト７４の螺合量を増加又は減少させることで、押付部材３６から上側外壁４３に作用する押付力が調整される。これにより、押付力を調整しない構成に比べて、止水材４１が上側外壁４３により過剰に圧縮されることを抑制することができる。
【００６７】
さらに、支持構造３０では、押付部材３６の縦板部３６Ｂが、上側外壁４３と接触することで、上側外壁４３がパラペットフレーム３４だけでなく押付部材３６によっても屋内側から支持される。これにより、上側外壁４３の通り出しをさらに向上させることができる。具体的には、Ｚ方向から見た場合に縦壁３４ＢのＹ方向の中央部が屋外側に凸となるように湾曲していて、かつ上側外壁４３がＹ方向の中央部のみで縦壁３４Ｂと接触する場合には、上側外壁４３の上部がＸ方向に傾く可能性がある。一方、支持構造３０では、上側外壁４３と縦壁３４Ｂとが接触することに加えて、上側外壁４３の上部と縦板部３６Ｂとが接触することで、複数箇所での支持となるので、上側外壁４３の傾きが抑制され、上側外壁４３の通り出しをさらに向上させることができる。
【００６８】
加えて、支持構造３０では、貫通孔４８にボルト４６が挿入され、上側外壁４３とパラペットフレーム３４とがボルト４６により仮留めされる。そして、押付部材３６が上側外壁４３を下側外壁４２に向けて押付けた状態となってから、上側外壁４３とパラペットフレーム３４とがボルト４６により本締めされる。このように、押付部材３６が上側外壁４３を押付ける前の段階から、上側外壁４３とパラペットフレーム３４とがボルト４６によって繋がっているので、パラペットフレーム３４への上側外壁４３の取付け位置がずれるのを抑制することができる。
【００６９】
また、支持構造３０では、パラペットフレーム３４の側壁３４Ｄに、ブラケット５６、５８が設けられている。そして、ブラケット５６、５８に防水鋼板２６が屋内側から接着により取付けられることで、防水鋼板２６が立設される。このように、パラペットフレーム３４の設置スペース内において防水鋼板２６が取付けられるので、パラペットフレーム３４を取付けた場所とは異なる場所に別部材を設けて防水鋼板２６を取付ける構成に比べて、防水鋼板２６の設置スペースを広げることができる。
【００７０】
[第２実施形態]
次に、第２実施形態に係る建物の外壁支持構造の一例について説明する。なお、前述した第１実施形態と基本的に同一の部材、部位には、前記第１実施形態と同一の符号を付与してその説明を省略する。
【００７１】
図６には、第２実施形態に係る建物の外壁支持構造の一例としての支持構造８０が示されている。支持構造８０は、第１実施形態の建物１０（図１参照）において、支持構造３０（図１参照）に換えて設けられている。
【００７２】
支持構造８０は、外壁部３２と、支持部材の一例としてのパラペットフレーム８２と、押付部材８４とを有する。また、支持構造８０には、一例として、止水材４１と、スペーサ３８と、ビス５４と、調整部４４と、ボルト４６と、被取付部の一例としての２つのブラケット８６とが設けられている。なお、図６では、配置を分かり易く示すために、ボルト１７、４６、７４及びビス５４を同一断面上で示している。
【００７３】
上側外壁４３は、第１実施形態に比べて、ネジ穴４７がＹ方向の上側に配置されているが、他の部位は同様の構成とされている。笠木ホルダ２７は、第１実施形態に比べて、板部２７ＡのＸ方向の長さが長い構成とされている。笠木２８は、第１実施形態に比べて、Ｘ方向の長さが長い構成とされている。防水鋼板２６は、ウェブ１６Ａの上方に配置されている。
【００７４】
＜パラペットフレーム＞
図７及び図８（Ｂ）に示すように、パラペットフレーム８２は、一例として、それぞれ同程度の厚さの板状に形成された底壁８２Ａ、縦壁８２Ｂ及び上壁８２Ｃにより構成されている。また、パラペットフレーム８２の全体は、Ｚ方向から見た場合に屋内側に向けて開口する断面略Ｕ字状に形成されている。さらに、図７に示すパラペットフレーム８２は、ウェブ１６Ａに対してウェルドナット１６Ｃ（図６参照）側の上フランジ１６Ｂ上に載置されている。そして、パラペットフレーム８２は、ボルト１７（図６参照）がウェルドナット１６Ｃに締結されることより、上フランジ１６Ｂ（天井大梁１６）に取付けられている。さらに、パラペットフレーム８２は、上側外壁４３をＸ方向の屋内側から支持する。なお、図７では、調整部４４（図６参照）及びボルト、ビス等の図示を省略している。
【００７５】
（底壁）
図９（Ｂ）に示す底壁８２Ａは、Ｘ方向及びＺ方向に広がっている。底壁８２ＡをＹ方向から見た場合の形状は、Ｚ方向を長手方向としＸ方向を短手方向とする略矩形状とされている。底壁８２ＡのＺ方向の長さは、上側外壁４３（図６参照）のＺ方向の長さよりも短い。また、底壁８２ＡのＹ方向の厚さは、上フランジ１６Ｂ（図６参照）のＹ方向の厚さよりも薄い。底壁８２ＡにおけるＸ方向の中央に対する一方側（屋内側）には、Ｚ方向に間隔をあけて配置されＹ方向に貫通した２つの貫通孔８５が形成されている。貫通孔８５の大きさは、ボルト１７（図６参照）を挿通可能な大きさとされている。そして、底壁８２Ａは、上フランジ１６Ｂ（図６参照）にボルト１７により取付けられる。
【００７６】
（縦壁）
図６に示す縦壁８２Ｂは、底壁８２ＡのＸ方向の屋外側の端部にＹ方向に沿って立設されている。縦壁８２ＢのＹ方向の高さは、上側外壁４３のＹ方向の下端から中央までの高さよりも高くかつ上側外壁４３のＹ方向の下端から上端までの高さよりも低くなるように設定されている。また、図８（Ａ）に示すように、縦壁８２Ｂは、Ｙ方向及びＺ方向に広がっている。縦壁８２ＢをＸ方向から見た場合の形状は、Ｙ方向を長手方向としＺ方向を短手方向とする略矩形状とされている。縦壁８２ＢのＺ方向の長さは、底壁８２ＡのＺ方向の長さ、上壁８２ＣのＺ方向の長さとそれぞれ等しく、上側外壁４３（図６参照）のＺ方向の長さよりも短い。縦壁８２ＢにおけるＹ方向及びＺ方向の中央には、Ｘ方向（厚さ方向）に貫通した１つの貫通孔８７が形成されている。貫通孔８７のＺ方向、Ｙ方向の大きさは、ボルト４６（図６参照）の雄ネジが形成された軸部の直径よりも大きい。なお、ボルト４６の頭部は、貫通孔８７には挿通されない。
【００７７】
（上壁）
図６に示す上壁８２Ｃは、縦壁８２ＢのＹ方向の上端部から外壁部３２側とは反対側にＸ方向に沿って延出され、底壁８２ＡとＹ方向に対向配置されている。また、上壁８２Ｃには、調整部４４により、後述する押付部材８４が取付けられている。
【００７８】
図９（Ａ）に示すように、上壁８２Ｃは、Ｘ方向及びＺ方向に広がっている。上壁８２ＣをＹ方向から見た場合の形状は、Ｚ方向を長手方向としＸ方向を短手方向とする略矩形状とされている。上壁８２ＣのＺ方向の長さは、既述のように、底壁８２ＡのＺ方向の長さと等しく、上側外壁４３（図６参照）のＺ方向の長さよりも短い。また、上壁８２ＣのＸ方向の長さは、底壁８２ＡのＸ方向の長さよりも短い。さらに、上壁８２ＣのＹ方向の厚さは、上フランジ１６Ｂ（図６参照）のＹ方向の厚さよりも薄く、底壁８２ＡのＹ方向の厚さとほぼ同じとされている。
【００７９】
上壁８２ＣにおけるＺ方向の中央でかつＸ方向の中央に対する一方側（屋外側）には、Ｙ方向に貫通した１つの貫通孔８９が形成されている。貫通孔８９の大きさは、調整部４４のボルト７４（図６参照）の雄ネジが形成された軸部を挿通可能な大きさとされている。また、上壁８２ＣのＹ方向の下面における貫通孔８９の周縁部には、調整部４４のウェルドナット７６（図６参照）が設けられている。ウェルドナット７６には、ボルト７４が締結される。
【００８０】
＜押付部材＞
図７に示す押付部材８４は、一例として、Ｚ方向の一部において、Ｚ方向から見た場合の断面形状がクランク状となるように２箇所で屈曲された板材で構成されており、Ｚ方向に延在されている。押付部材８４のＺ方向の長さは、１つの上側外壁４３のＺ方向の長さよりも長い。具体的には、押付部材８４は、第２横板部８４Ａと、接触部の一例としての縦板部８４Ｂと、第１横板部８４Ｃとを有する。
【００８１】
（第２横板部）
第２横板部８４Ａは、Ｘ方向及びＺ方向に広がっている。第２横板部８４ＡをＹ方向から見た場合の形状は、Ｚ方向を長手方向としＸ方向を短手方向とする略矩形状とされている。第２横板部８４ＡのＸ方向の長さは、上側外壁４３の上面４３ＢのＸ方向の長さよりも長い。また、第２横板部８４Ａは、スペーサ３８上に載置される。第２横板部８４ＡのＸ方向の屋外側の端部は、上側外壁４３のＸ方向における屋外側の側面の上方に配置されている。第２横板部８４ＡのＸ方向の屋内側の端部は、上側外壁４３のＸ方向における屋内側の側面に対して屋内側に延びている。
【００８２】
第２横板部８４Ａにおいて、パラペットフレーム８２とＹ方向に対向する部位には、第２横板部８４Ａの屋内側の端部から内側（屋外側）に向けて切欠かれた切欠部９２が形成されている。切欠部９２は、Ｙ方向から見た場合に、Ｚ方向を長手方向としＸ方向を短手方向とする略矩形状に形成されている。また、第２横板部８４Ａにおいて、切欠部９２に対して屋外側の部位には、Ｙ方向に貫通した貫通孔６６がＸ方向に間隔をあけて２箇所形成されている。そして、第２横板部８４Ａは、スペーサ３８を介して上側外壁４３にビス５４（図６参照）により取付けられる。
【００８３】
（縦板部）
縦板部８４Ｂは、切欠部９２のＸ方向の屋外側の縁部からＹ方向の下側に向けて延びている。縦板部８４ＢをＸ方向から見た場合の形状は、Ｚ方向を長手方向としＹ方向を短手方向とする略矩形状とされている。縦板部８４ＢのＹ方向の高さは、上壁８２Ｃ上に後述する横板部８４Ｃが載置された状態で、Ｘ方向から見た場合に縦板部８４Ｂと上側外壁４３のＹ方向の上部とが重なるように、スペーサ３８のＹ方向の高さも含めて設定されている。これにより、縦板部８４Ｂは、パラペットフレーム８２に押付部材８４が取付けられた状態で、Ｘ方向において上側外壁４３に屋内側から接触して、上側外壁４３の上部を支持するようになっている。
【００８４】
（第１横板部）
第１横板部８４Ｃは、縦板部８４ＢのＹ方向の下端部からＸ方向の屋内側に延びている。第１横板部８４ＣをＹ方向から見た場合の形状は、Ｚ方向を長手方向としＸ方向を短手方向とする略矩形状とされている。第１横板部８４ＣのＸ方向の長さは、上壁８２ＣのＸ方向の長さとほぼ等しい。第１横板部８４Ｃは、上壁８２Ｃ上に載置される。第１横板部８４Ｃにおいて、貫通孔８９（図９（Ａ）参照）とＹ方向に並ぶ部位には、Ｙ方向に貫通した貫通孔９４が２箇所形成されている。貫通孔９４の大きさは、ボルト７４（図６参照）の雄ネジが形成された軸部を挿通可能な大きさとされている。そして、第１横板部８４Ｃは、上壁８２Ｃにボルト７４により取付けられる。
【００８５】
ここで、図６に示すように、押付部材８４では、第１横板部８４Ｃが上壁８２Ｃにボルト７４により取付けられることにより、第２横板部８４Ａが上側外壁４３を下側外壁４２に向けて（Ｙ方向の下側に向けて）押付けるようになっている。
【００８６】
ビス５４の長さは、一例として、笠木ホルダ２７の板部２７Ａの厚さと、防水シート２５の厚さと、第２横板部８４Ａの厚さと、スペーサ３８の厚さとを合計した長さよりも長い。これにより、上側外壁４３上にスペーサ３８、第２横板部８４Ａ、防水シート２５及び板部２７Ａが重ねられた状態でビス５４により共締めされることで、これらが上側外壁４３に取付けられて（固定されて）いる。
【００８７】
ボルト４６の軸部４６Ｂが貫通孔８７に挿入されると共に、雄ネジがネジ穴４７の雌ネジと螺合されることにより、上側外壁４３がパラペットフレーム８２に締結されている。言い換えると、パラペットフレーム８２が上側外壁４３をＸ方向の屋内側から支持している。なお、軸部４６Ｂの直径の大きさは、貫通孔８７の孔壁に対してＹ方向及びＺ方向に間隔があくように設定されている。このため、ネジ穴４７に対するボルト４６の螺合量が少ない状態（仮留め状態）では、上側外壁４３が、パラペットフレーム８２に対してＹ方向及びＺ方向に移動可能となっている。
【００８８】
＜ブラケット＞
図７に示すブラケット８６は、一例として、Ｙ方向から見た場合の断面形状が、Ｘ方向の屋外側に向けて開口する略Ｕ字状に形成されている。具体的には、ブラケット８６は、Ｙ方向から見た場合に、縦壁８２ＢとＸ方向に対向する対向壁８６Ａと、対向壁８６ＡのＺ方向の両端部から縦壁８２ＢのＺ方向の両端部に向けてＸ方向に延びる２つの側壁８６Ｂとを有する。それぞれの側壁８６ＢのＸ方向の屋外側の端部には、縦壁８２Ｂの屋内側の側面と接触するようにＺ方向に屈曲された取付部８６Ｃが形成されている。取付部８６Ｃは、一例として、縦壁８２Ｂに接着により取付けられている。なお、２つのブラケット８６は、縦壁８２ＢのＹ方向の上部と中央部とに１つずつ取付けられている。
【００８９】
図６に示すように、２つのブラケット８６の対向壁８６Ａには、一例として、防水鋼板２６が屋内側から接着により取付けられている。
【００９０】
〔作用〕
次に、第２実施形態の支持構造８０の作用について説明する。
【００９１】
図１０（Ａ）、（Ｂ）には、支持構造８０の各部材が模式的に示されている。図１０（Ａ）では、調整部４４（図６参照）による押付力の調整前の状態が示されており、図１０（Ｂ）では、調整部４４による押付力の調整後の状態が示されている。なお、天井スラブ１８及び断熱材２２（図６参照）は、天井大梁１６上に既に取付けられているが、図１０（Ａ）、（Ｂ）では図示を省略している。
【００９２】
図１０（Ａ）に示すように、天井大梁１６には、パラペットフレーム８２が取付けられている。また、下側外壁４２の上側には、止水材４１を挟んで上側外壁４３が配置されている。上側外壁４３には、縦壁８２Ｂを介してボルト４６が仮留めされている。言い換えると、上側外壁４３は、パラペットフレーム８２によって屋内側から支持された状態で、Ｚ方向及びＹ方向に移動可能（位置を微調整可能）とされている。
【００９３】
上側外壁４３の上面４３Ｂには、スペーサ３８が接着されている。スペーサ３８の上面には、第２横板部８４Ａの下面が接着されている。なお、調整前状態において、ビス５４（図６参照）は押付部材８４、スペーサ３８及び上側外壁４３には締結されていない。さらに、押付部材８４上には、笠木ホルダ２７（図６参照）は載置されていない。また、調整前状態において、第１横板部８４Ｃと上壁８２Ｃとの間には、Ｙ方向に隙間ｄ１が形成されている。下側外壁４２と上側外壁４３との間（横目地４９）には、Ｙ方向に隙間ｄ２（＞ｄ１）が形成されている。
【００９４】
続いて、図１０（Ｂ）に示すように、ウェルドナット７６にボルト７４を螺合させることで、調整部４４が形成される。そして、調整部４４において、ウェルドナット７６に対するボルト７４の螺合量が増加される。調整部４４では、一例として、第１横板部８４Ｃと上壁８２Ｃとが密着するまで、ウェルドナット７６に対するボルト７４の螺合量が増加されている。
【００９５】
ここで、第１横板部８４Ｃと上壁８２Ｃとが近接することで、押付部材８４からスペーサ３８を介して上側外壁４３に押付力Ｆが作用する。この押付力Ｆにより、上側外壁４３がＹ方向の下側に変位すると共に、止水材４１がＹ方向に圧縮される。このため、この押付け状態において、下側外壁４２と上側外壁４３との間の隙間ｄ３は、隙間ｄ２（図１０（Ａ）参照）よりも小さくなる。止水材４１に作用する押付力（圧縮力）は、押付け前の状態に比べて増加する。また、上側外壁４３は、パラペットフレーム８２によりＸ方向の屋内側から支持されている。さらに、上側外壁４３のＹ方向の上部に縦板部８４Ｂが接触することで、上側外壁４３のＹ方向の上部は、Ｘ方向の屋内側から支持されている。このようにして、上側外壁４３のＸ方向、Ｙ方向及びＺ方向に対する傾きが調整される。そして、ボルト４６が本締めされることにより、上側外壁４３の位置が決まる。
【００９６】
続いて、図６に示すように、防水シート２４、２５が取付けられた状態で、２つのブラケット８６の対向壁８６Ａに防水鋼板２６が取付けられる。そして、防水シート２５上に笠木ホルダ２７が載置され、ビス５４により笠木ホルダ２７、防水シート２５、押付部材８４、スペーサ３８及び上側外壁４３が共締めされる。笠木ホルダ２７には、笠木２８が取付けられる。なお、横目地４９及びシールポケット６８には、シール材５２が充填される。
【００９７】
以上、説明したように、支持構造８０では、上側外壁４３がパラペットフレーム８２によって屋内側から支持されることで、Ｙ方向に対する屋内側への上側外壁４３の傾きが抑制される。さらに、パラペットフレーム８２に取付けられた押付部材８４によって、上側外壁４３が下側外壁４２に向けて押付けられる。これにより、Ｘ方向及びＺ方向に対する上側外壁４３の傾きが抑制されると共に、予め設定した押付力Ｆ（図１０（Ｂ）参照）が止水材４１に作用して、止水材４１が圧縮される。このように、支持構造８０では、Ｘ方向、Ｙ方向、Ｚ方向に対する上側外壁４３の傾きが抑制されるので、外壁部３２の通り出しを向上させることができる。さらに、支持構造８０では、止水材４１が圧縮されるので、押付部材８４により上側外壁４３を押付けない構成に比べて、外壁部３２の横目地４９における止水性の低下を抑制することができる。
【００９８】
また、支持構造８０では、押付部材８４による上側外壁４３への押付力が、調整部４４によって調整可能となっている。具体的には、調整部４４において、ボルト７４の螺合量を増加又は減少させることで、押付部材８４から上側外壁４３に作用する押付力が調整される。これにより、押付力を調整しない構成に比べて、止水材４１が上側外壁４３により過剰に圧縮されることを抑制することができる。
【００９９】
さらに、支持構造８０では、上側外壁４３と接触することで、上側外壁４３がパラペットフレーム８２だけでなく押付部材８４によっても屋内側から支持される。これにより、上側外壁４３の通り出しをさらに向上させることができる。具体的には、Ｚ方向から見た場合に縦壁８２ＢのＹ方向の中央部が屋外側に凸となるように湾曲していて、かつ上側外壁４３がＹ方向の中央部のみで縦壁８２Ｂと接触する場合には、上側外壁４３の上部がＸ方向に傾く可能性がある。一方、支持構造８０では、上側外壁４３と縦壁８２Ｂとが接触することに加えて、上側外壁４３の上部と縦板部８４Ｂとが接触することで、複数箇所での支持となるので、上側外壁４３の傾きが抑制され、上側外壁４３の通り出しをさらに向上させることができる。
【０１００】
加えて、支持構造８０では、貫通孔４８にボルト４６が挿入され、上側外壁４３とパラペットフレーム８２とがボルト４６により仮留めされる。そして、押付部材８４が上側外壁４３を下側外壁４２に向けて押付けた状態となってから、上側外壁４３とパラペットフレーム８２とがボルト４６により本締めされる。このように、押付部材８４が上側外壁４３を押付ける前の段階から、上側外壁４３とパラペットフレーム８２とがボルト４６によって繋がっているので、パラペットフレーム８２への上側外壁４３の取付け位置がずれるのを抑制することができる。
【０１０１】
また、支持構造８０では、パラペットフレーム８２にブラケット８６が設けられて（取付けられて）いる。そして、ブラケット８６に防水鋼板２６が屋内側から接着により取付けられることで、防水鋼板２６が立設される。このように、パラペットフレーム８２の設置スペース内において防水鋼板２６が取付けられるので、パラペットフレーム８２を取付けた場所とは異なる場所に別部材を設けて防水鋼板２６を取付ける構成に比べて、防水鋼板２６の設置スペースを広げることができる。
【０１０２】
なお、本発明は上記の実施形態に限定されない。
【０１０３】
支持構造３０において、調整部４４を除いて、パラペットフレーム３４にピンを設け、押付部材３６に貫通孔を形成して、このピンを貫通孔に嵌め込む構成としてもよい。また、パラペットフレーム３４に貫通孔を形成し、押付部材３６にピンを設けて、このピンを貫通孔に嵌め込む構成としてもよい。また、支持構造３０において、ボルト４６を用いずに、上側外壁４３とパラペットフレーム３４とをＸ方向に接触させた状態で、押付部材３６により上側外壁４３に押付力を作用させてもよい。
【０１０４】
さらに、支持構造３０において、ブラケット５６、５８を設けずに、他の場所に部材を設けて、この部材に防水鋼板２６を取付けてもよい。また、ブラケット５６、５８は、１つのブラケット又は３つ以上のブラケットで構成されていてもよい。加えて、支持構造３０において、スペーサ３８を設けずに押付部材３６を平板状に形成して、この平板状の押付部材３６によって上側外壁４３を押付けてもよい。また、支持構造３０において、上側外壁４３をパラペットフレーム３４のみで支持して、押付部材３６がパラペットフレーム３４を支持しない構成としてもよい。
【０１０５】
支持構造８０において、調整部４４を除いて、パラペットフレーム８２にピンを設け、押付部材８４に貫通孔を形成して、このピンを貫通孔に嵌め込む構成としてもよい。また、パラペットフレーム８２に貫通孔を形成し、押付部材８４にピンを設けて、このピンを貫通孔に嵌め込む構成としてもよい。また、支持構造８０において、ボルト４６を用いずに、上側外壁４３とパラペットフレーム８２とをＸ方向に接触させた状態で、押付部材８４により上側外壁４３に押付力を作用させてもよい。
【０１０６】
さらに、支持構造８０において、ブラケット８６を設けずに、他の場所に部材を設けて、この部材に防水鋼板２６を取付けてもよい。また、ブラケット８６は、１つのブラケット又は３つ以上のブラケットで構成されていてもよい。加えて、支持構造８０において、スペーサ３８を設けずに押付部材８４を平板状に形成して、この平板状の押付部材８４によって上側外壁４３を押付けてもよい。また、支持構造８０において、上側外壁４３をパラペットフレーム８２のみで支持して、押付部材８４がパラペットフレーム８２を支持しない構成としてもよい。
【０１０７】
防水材は、防水鋼板に限らず、防水シートであってもよい。止水材４１を配置する場所は、横目地４９におけるＸ方向の中央よりも屋外側の場所に限らず、中央部及び屋内側の場所であってもよい。
【０１０８】
支持部材は、パラペットフレーム３４、８２のようにＺ方向から見た場合の断面形状がＵ字状のものに限らず、断面形状がＬ字状のものであってもよい。この構成では、押付部材の支持部材への取付部位を逆Ｌ字状として、押付部材及び支持部材のそれぞれの縦壁部分をＸ方向に重ねてビスなどで取付ければよい。パラペットフレーム３４、８２を取付ける部位は、天井大梁１６に限らず、床梁や柱等といった、建物１０の他の躯体に取付けられていてもよい。
【０１０９】
押付部材３６、８４は、上側外壁４３に対して、笠木ホルダ２７と共締めされていなくてもよい。ビス５４は、上側外壁４３に締結されるものに限らず、笠木ホルダ２７からスペーサ３８までを共締めするものであってもよい。
【０１１０】
ボルト４６、ビス５４、ボルト７４及びウェルドナット７６の数は、本実施形態において記載した数に限らず、異なる数であってもよい。
【０１１１】
支持構造３０、８０は、建物１０のパラペットの外壁部３２に用いられるものに限らず、建物１０の図示しないバルコニーの外壁部に用いられるものであってもよい。
【符号の説明】
【０１１２】
１０  建物
１６  天井大梁（躯体の一例）
２６  防水鋼板（防水材の一例）
３０  支持構造（建物の外壁支持構造の一例）
３２  外壁部
３４  パラペットフレーム（支持部材の一例）
３４Ａ  底壁
３４Ｂ  縦壁
３４Ｃ  上壁
３６  押付部材
３６Ｂ  縦板部（接触部の一例）
４１  止水材
４２  下側外壁
４３  上側外壁
４４  調整部（調整手段の一例）
４６  ボルト（締結部材の一例）
４８  貫通孔
４９  横目地（目地の一例）
５６  ブラケット（被取付部の一例）
５８  ブラケット（被取付部の一例）
８０  支持構造（建物の外壁支持構造の一例）
８２  パラペットフレーム（支持部材の一例）
８２Ａ  底壁
８２Ｂ  縦壁
８２Ｃ  上壁
８４  押付部材
８４Ｂ  縦板部（接触部の一例）
８６  ブラケット（被取付部の一例）
【図１】
2018197431.tif 000003
【図２】
2018197431.tif 000004
【図３】
2018197431.tif 000005
【図４】
2018197431.tif 000006
【図５】
2018197431.tif 000007
【図６】
2018197431.tif 000008
【図７】
2018197431.tif 000009
【図８】
2018197431.tif 000010
【図９】
2018197431.tif 000011
【図１０】
2018197431.tif 000012